(57)【特許請求の範囲】
【請求項１】
上面が飲料容器挿入用に開放されているとともに、側面に開口窓を有している箱状のハウジングと、
異なる外形の前記飲料容器に対応する切り込みを周面に有し、前記開口窓を通して一部が前記ハウジング内に配置され、かつ前記ハウジングの外側で上下方向に延ばされている中心軸を支点として回転可能に設けられている回転体とを備えているとともに、
前記回転体を手動により回転させて前記切り込みの位置を変えると、前記ハウジング内における飲料容器用の配置スペースが切り換えられ、かつ前記回転体がその切り換え後の位置で保持されるようにしたことを特徴とする車両用カップホルダ。
【請求項２】
前記回転体の周面と前記ハウジングとの間にディテント用の切り込みと板バネとでなるディテント機構を設けた請求項１に記載の車両用カップホルダ。
【発明の詳細な説明】
【０００１】
【発明の属する技術分野】
本発明は、飲料水類を入れた缶、瓶、コップ、紙パック等の飲料容器を支えて倒れないように保持しておくための車両用カップホルダに関するものである。
【０００２】
【従来の技術】
乗車中に飲みかけの飲料水類が入った容器を倒れないように保持しておく車両用カップホルダは従来より数多く提案されている。
また、今日、出回っている飲料容器も缶、瓶、コップ、紙パック等と種類が多く、缶だけに注目しても３５０ミリリットル缶と２５０ミリリットル缶とがあり、その外径が各々異なる。そして、３５０ミリリットル缶用に形成されたホルダ部分に２５０ミリリットル缶を配置した場合ではホルダ部分内で缶が遊んで倒れる心配があり、逆に２５０ミリリットル缶用に形成されたホルダ部分に３５０ミリリットル缶を配置しようとしても、缶の径の方がホルダ部分よりも大きいので配置することができない。
【０００３】
そこで、缶等の径が異なっても保持できるようにした構造のカップホルダも従来より数多く提案されている。これは、例えば実開平６−７８０６７号等で見ることができる。
この実開平６−７８０６７号に開示されているカップホルダは、上面が開放されて箱状に形成されているハウジングの内壁面に、水平方向にスプリングによって付勢されるガイド板を設け、飲料容器が挿入されたときに、この飲料容器の側面と当接され、飲料容器の径が大きい場合には、この飲料容器に押されて下方へ回動されて逃げる構造のもので、ガイド板は常に飲料容器に当接された状態になっている。
【０００４】
【発明が解決しようとする課題】
しかしながら、上記従来のカップホルダの構造では、ガイド板がハウジング内で枢軸により回転可能に支持され、しかも回転復帰力はスプリングの反発力に依存している。したがって、飲料水がこぼれて枢軸に付着したりすると、飲料水の中に含まれている糖分等によってべとつき、ガイド板の回動復帰が行われれずに、下側に回動したままの状態になる。また、これはスプリングのバネ力が弱った場合でも同様である。そして、ガイド板が下がったままの状態になると、小径の缶では確実に保持されずに、ホルダ内で倒れて中身がこぼれたりする問題点があった。
【０００５】
本発明は、上記問題点に鑑みてなされたものであり、その目的は動作不良を無くし、外径が大小異なる飲料容器の何れであっても確実に保持することができる構造にした車両用カップホルダを提供することにある。
さらに、他の目的は、以下に説明する内容の中で順次明らかにして行く。
【０００６】
【課題を解決するための手段】
上記目的を達成するため本発明にあっては、上面が飲料容器挿入用に開放されているとともに、側面に開口窓を有している箱状のハウジングと、異なる外形の前記飲料容器に対応する切り込みを周面に有し、前記開口窓を通して一部が前記ハウジング内に配置され、かつ前記ハウジングの外側で上下方向に延ばされている中心軸を支点として回転可能に設けられている回転体とを備えているとともに、前記回転体を手動により回転させて前記切り込みの位置を変えると、前記ハウジング内における飲料容器用の配置スペースが切り換えられ、かつ前記回転体がその切り換え後の位置で保持される構造としたものである。
【０００７】
以上の構成によれば、回転体を手動により回転させて切り込みの位置を変えると、前記ハウジング内の飲料容器が配置できるスペースが切り換えられ、これに対応した外形の飲料容器を確実に保持することができる。
しかも、中心軸はハウジングの外側に配置されるので、こぼれた飲料水が中心軸に付着して動作不良を起こすようなこともない。
また、手動で回転体を回転させて切り換えるので、さらに確実な切り換え動作を行わせることができる。
【０００８】
【発明の実施の形態】
以下、本発明の実施形態例について図面を用いて詳細に説明する。
図１乃至図３は本発明の一実施例に係る車両用カップホルダを示すもので、図１はその一部を破断して上面側より見た平面図、図２はその斜視図、図３はその要部分解斜視図である。
【０００９】
図１乃至図３において、カップホルダ１は、大きくはハウジング２と、一対の回転体３と、一対のバネ部材２４とで構成されている。
【００１０】
さらに詳述すると、ハウジング２は、樹脂製で、上面２ａが飲料容器挿入用に開口されて箱形に形成されており、このハウジング２内には飲料容器Ａ，Ｂを立てた状態にして、２本並べて配置できるスペースが確保されている。なお、図１中に符号Ａで示す容器は例えば３５０ミリリットル缶、符号Ｂで示す容器は２５０ミリリットル缶であり、外径は３５０ミリリットル缶Ａの方が２５０ミリリットル缶Ｂよりも大きい。
【００１１】
また、ハウジング２の前側壁２ｂにおける左右中間の部分には、内側に突出された状態にして仕切用膨出部４が形成されているとともに、後側壁２ｃにおける左右中間の部分には内側に突出された状態にして仕切用膨出部５が形成されている。そして、この互いに対抗し合う２つの仕切用膨出部４，５によって、ハウジング２内を２つの領域２０，２１に分けた状態になっている。したがって、図１では領域２０内に３５０ミリリットル缶Ａが収納され、領域２１内に２５０ミリリットル缶Ｂが配置されている状態を示している。
【００１２】
さらに、後側壁２ｃには、各領域２０，２１に対応して、開口窓６が各々設けられている。また、後側壁２ｃの外面側において、開口窓６の左右略中間における上下の位置には、貫通穴７，８をそれぞれ有した軸受部９，１０が一体に形成されている。加えて、開口窓６の一側近傍にはバネ部材２４の一端を固定するための係合穴１１が形成されているとともに、左右の側壁２ｄ，２ｅには取付穴１２を有した取付片１３が一体に形成されている。
【００１３】
左右の回転体３は、各々同じ構造のものが使用されるもので、樹脂材で形成されている。そして、この回転体３における本体部３ａの厚みは開口窓６の高さ寸法よりも若干小さく形成されていて、本体部３ａの一部は開口窓６を貫通できる状態になっている。また、本体部３ａの上下面における中心には枢軸１４が各々形成されており、この枢軸１４が軸受部９，１０内に係合され、この軸受部９，１０を支点として回転体３が図１中の矢印Ｃ−Ｄ方向に往復回転できる構造になっている。さらに、本体部３ａの外周の形は、枢軸１４を中心として描かれる真円形を成し、この周面の途中に上下端に渡って切り込み１５，１６，１７ａ，１７ｂが形成されている。なお、このうち、切り込み１５は３５０ミリリットル缶Ａを位置決めるためのもので、その内面形状は３５０ミリリットル缶Ａの外周曲面と対応しており、切り込み１６は２５０ミリリットル缶Ｂを位置決めるためのもので、その内面形状は２５０ミリリットル缶Ｂの外周曲面と等しく形成されている。また、切り込み１７ａ，１７ｂはディテント用のもので、バネ部材２４が落ち込み係合可能になっている。さらに、各回転体３の上面には回転体３の回動量を規制するための規制片１９が一体に形成されている。
【００１４】
そして、この左右の回転体３は、ハウジング２の内側に規制片１９が配置される状態にして、本体部３ａの一部をハウジング２内に進入させ、枢軸１４を軸受部９，１０にそれぞれ回転可能に係合させてハウジング２に取り付けられる。
また、こうして取り付けられた回転体３では、ハウジング２内に手を差し込んで一方向（図１中の矢印Ｄ方向）に回転させて行くと、やがては規制片１９がハウジング２の内面にぶつかり、それ以上の回転が規制される。このとき、ハウジング２内には、切り込み１５が配置された状態になる。
これとは逆に、ハウジング２内に手を差し込んで回転体３を前とは反対方向（図１中の矢印Ｃ方向）に回転させて行くと、約１８０度回転したところで規制片１９がハウジング２の内面にぶつかり、それ以上の回転が規制される。このとき、ハウジング２内には切り込み１６が配置された状態になる。
【００１５】
次に、一対のバネ部材２４は、回転体３の切り込み１７ａ，１７ｂと共にディテント機構を形成しているもので、それぞれ板状のバネを折り曲げてなり、一端はハウジング２の係合穴１１に圧入固定して取り付けられ、他端側はＶ字状に折り曲げられて回転体３の周面に常に圧接されている。
そして、各バネ部材２４は、回転体３が図１中の矢印Ｃ方向端、あるいは矢印Ｄ方向端に回動されて、規制片１９がハウジング２の内面に当接されると、各バネ部材２４のＶ字状に折り曲げられている部分２４ａが切り込み（１７ａまたは１７ｂ）内に落ち込んでディテント係合され、その回動後の位置を保持することができる。また、回転体３を手で強制的に回動させると、ディテント係合が解除され、再び回動端に到達すると部分２４ａが切り込み（１７ａまたは１７ｂ）内に落ち込んでディテント係合される。
【００１６】
したがって、このように構成されたカップホルダ１では、回転体３を手で回転させてハウジング２内に配置される切り込み（１５または１６）を切り換えると、ハウジング２内に配置できる飲料容器（本実施例では３５０ミリリットル缶Ａと２５０ミリリットル缶Ｂ）の配置できるスペースが切り換えられる。そして、これに対応した外形の飲料容器を配置すると、この容器を確実に保持することができることになる。しかも、中心軸（枢軸１４）はハウジング２の外側で軸受部９，１０により回転可能に保持されているので、こぼれた飲料水が枢軸に付着して動作不良を起こすようなこともない。さらに、手動で回転体３を回転させて切り換えるので、さらに確実な切り換え動作を行わせることができることになる。
【００１７】
また、このカップホルダ１は、このままセンターコンソールボックスに埋設させて固定して取り付けたり、あるいはインストルメントパネル内にスライドさせて出し入れ可能に設けたりして設置されるものであり、その設置方法は任意に選択されるものである。
【００１８】
なお、上記実施形態例では、３５０ミリリットル缶Ａと２５０ミリリットル缶Ｂを使用する場合について説明したが、これ以外の飲料容器を保持するのに使用できることは勿論のことである。また、飲料容器を保持する切り込みは１５，１６の２種類の場合について説明したが、３種類等にすることも勿論可能である。
【００１９】
【発明の効果】
以上説明したとおり、本発明によれば、回転体を手動により回転させて切り込みの位置を変えると、前記ハウジング内の飲料容器が配置できるスペースが切り換えられ、これに対応した外形の飲料容器を確実に保持することができる。しかも、中心軸はハウジングの外側に配置されるので、こぼれた飲料水が中心軸に付着して動作不良を起こすようなこともなく、また手動で回転体を回転させて切り換えるので、さらに確実な切り換え動作を行わせることができる等の効果が期待できる。
【図面の簡単な説明】
【図１】本発明に係るカップホルダの一部を破断して上側より見る平面図である。
【図２】本発明に係るカップホルダの斜視図である。
【図３】本発明に係るカップホルダの要部分解斜視図である。
【符号の説明】
１  カップホルダ
２    ハウジング
３    回転体
６    開口窓
９    軸受部
１０    軸受部
１４  枢軸（中心軸）
１５  切り込み（２５０ミリリットル缶用）
１６  切り込み（３５０ミリリットル缶用）
１７ａ，１７ｂ  ディテント用切り込み
２４    ディテント用バネ部材
【図１】
0003588760.tif 000002
【図２】
0003588760.tif 000003
【図３】
0003588760.tif 000004